(57)【要約】【目的】  ルームランナに、本や雑誌を読みながらまたスマートフォン等の端末機器を見たり操作しながら乗っても、使用者の足や使用者自身がルームランナの走行部の下流側端部から落ちないようにすることができるルームランナ用身体支持具を提供する。【解決手段】  ルームランナの走行部下流側の部位を載置するベース部２に伸長調節可能な支柱５を立設し、この支柱５に、使用者の背中を支持する背中支持部３と、使用者の両側において腰を支持する一対の腰支持部４とを配置し、これら背中支持部３および腰支持部４を、支柱５の支柱上側部５ｃに設ける。【選択図】  図１
0003203797.tif 000002
【実用新案登録請求の範囲】
【請求項１】
市販のルームランナと併せて使用されるルームランナ用身体支持具であって、
ルームランナの走行部下流側の部位を載せるためのベース部と、
使用者の背中を支持することができる位置に配置された背中支持部と、
使用者の両側において腰を支持することができる位置に配置された一対の腰支持部と、
を備え、
上記背中支持部および腰支持部は、上記ベース部から上方へ延設された支柱に設けられていることを特徴とするルームランナ用身体支持具。
【請求項２】
上記背中支持部は、上下方向に位置調節可能に構成されていることを特徴とする請求項１に記載のルームランナ用身体支持具。
【請求項３】
上記腰支持部は、上下方向に位置調節可能に構成されていることを特徴とする請求項１に記載のルームランナ用身体支持具。
【請求項４】
上記腰支持部は、上方もしくは下方に折り畳み可能に構成されていることを特徴とする請求項１に記載のルームランナ用身体支持具。
【請求項５】
市販のルームランナと併せて使用されるルームランナ用身体支持具であって、
ルームランナの走行部下流側の部位を載せるためのベース部と、
上記ベース部から立設された伸長調節可能な支柱と、
を備え、
上記伸長調節可能な支柱における伸長する側の支柱に、使用者の背中を支持可能な背中支持部と、使用者の両側において腰を支持する一対の腰支持部とが設けられていることを特徴とするルームランナ用身体支持具。
【請求項６】
上記腰支持部は、上方もしくは下方に折り畳み可能に構成されていることを特徴とする請求項５に記載のルームランナ用身体支持具。
【考案の詳細な説明】
【技術分野】
【０００１】
本考案は、市販のルームランナに用いて、該ルームランナ上の使用者が走行部から落下しないように支持（サポート）するルームランナ用身体支持具（サポート）に関する。
【背景技術】
【０００２】
従来、市販のルームランナの多くは、自宅に居ながらにしてジョギングやウォーキングを行えるように開発された装置である。その構造は、人が乗ってジョギングやウォーキングを行うエンドレスベルトからなる走行部と、走行部のスタート時や終了時に足を乗せて置くことができるステッパ部と、駆動用モータの出力を調節して走行部の走行速度や使用時間等の設定操作を行うためのパネル部と、から構成されている。また、一部の機種には、使用者が掴むハンドル部を設けているものもある。
【０００３】
そして、近年ではルームランナを使用する際に、本や雑誌等を読みながら或いはスマートフォン等の端末機器を操作しながら乗る人が多くなってきている。それは、屋外のように他の人と衝突する危険がないことからで、特に若い人達が、本や雑誌等を読みながらまたスマートフォン等の端末機器を操作しながら乗っている。
【０００４】
しかしながら、本や雑誌を読みながら或いはスマートフォン等の端末機器を操作しながらルームランナでウォーキングを楽しんでいると、読むことや操作に没頭してしまい、いつしかウォーキングの速度すなわち足を運ぶ速度が走行部の走行速度よりも遅くなって、ルームランナの走行部の下流側端部から足が落下してしまうことがある。
【０００５】
また、高齢者においては、ウォーキングを楽しむということよりも運動のためやリハビリのために行っている人も多く、従来のルームランナでは、使用者が掴むハンドル部を設けている機種を使用したとしても、高齢者が限られたスペースの走行部上でウォーキングを長時間安定して継続することは必ずしも容易なことではなく、リハビリのために使用している場合は、特に難しくなる。
【先行技術文献】
【特許文献】
【０００６】
【特許文献１】特開２０１１−１３１０８８号公報
【考案の概要】
【考案が解決しようとする課題】
【０００７】
本考案の目的とするところは、ルームランナに、本や雑誌を読みながらまたスマートフォン等の端末機器を見たり操作しながら乗っても、使用者の足や使用者自身がルームランナの走行部の下流側端部から落ちないようにすることができ、また、高齢者の運動やリハビリ用としても安心して使用できるようにするためのルームランナ用身体支持具を提供することにある。
【課題を解決するための手段】
【０００８】
上述した課題を解決するために、本考案に係るルームランナ用身体支持具は、  市販のルームランナに用いる身体支持具であって、ルームランナの走行部下流側の部位が載置されるベース部と、使用者の背中を支持可能（な高さ）に配置された背中支持部と、使用者の両側において腰を支持可能（な高さ）に配置された一対の腰支持部とから構成され、上記背中支持部および腰支持部は、上記ベース部から上方に延設された支柱に設けられていることを特徴とする。
【０００９】
また、上記背中支持部が、上下方向に位置調節可能に構成されていることを特徴とする。
【００１０】
また、上記腰支持部が、上下方向に位置調節可能に構成されていることを特徴とする。
【００１１】
また、上記腰支持部が、上方もしくは下方に折り畳み可能に構成されていることを特徴とする。
【００１２】
さらに、本考案に係るルームランナ用身体支持具は、市販のルームランナに用いる身体支持具であって、ルームランナの走行部下流側の部位が載置されるベース部に立設された伸長調節可能な支柱に、使用者の背中を支持する背中支持部と、使用者の両側において腰を支持する一対の腰支持部とが配置され、これら背中支持部および腰支持部が、上記支柱における伸長する側の支柱に設けられていることを特徴とする。
【００１３】
また、上記腰支持部が、上方もしくは下方に折り畳み可能に構成されていることを特徴とする。
【考案の効果】
【００１４】
本考案のルームランナ用身体支持具によれば、市販のルームランナに用いることで、ルームランナの走行部に乗っている使用者が該走行部の下流に流されていった場合でも、本考案のルームランナ用身体支持具の背中支持部が使用者の背中を支持して、使用者の足や使用者自身がルームランナの走行部の下流端部から外に落ちる事故を高い確率で防止できる。
【００１５】
さらに、本考案のルームランナ用身体支持具には、使用者の腰を支持するための腰支持部も設けているので、使用者が走行部の横方向にずれていった場合も、上記腰支持部が使用者の腰を支持し、使用者の足や使用者自身がルームランナの走行部の側方外に落ちる事故を高い確率で防止できる。
【００１６】
上述のことから、本や雑誌を読みながらまたスマートフォン等の端末機器を見たり操作しながらでも安心してルームランナに乗ることができて、ウォーキングを楽しむことができる。また、高齢者には、限られたスペースの走行部上でも安心してウォーキングを楽しむことができるので、ルームランナを安心してリハビリにも活用することができる。
【図面の簡単な説明】
【００１７】
【図１】本考案に係るルームランナ用身体支持具を示す斜視図。
【図２】ルームランナ用身体支持具の平面図。
【図３】ルームランナ用身体支持具の使用状態を示す図。
【図４】ルームランナ用身体支持具の他の使用状態を示す図。
【図５】ルームランナ用身体支持具のさらに他の使用状態を示す図。
【図６】未使用時のルームランナ用身体支持具を示す図。
【考案を実施するための形態】
【００１８】
本考案に係るルームランナ用身体支持具について、添付図面に示す具体例に基づいて以下に説明する。本実施例に示されるルームランナ用身体支持具は、背中支持部／腰支持部の上下方向の位置調節を個別に行うようにしているものではなく、同時に背中支持部及び腰支持部の上下方向の位置調節を行えるように構成されている。
【００１９】
図１は、本考案のルームランナ用身体支持具１を示した実施例であり、その構成は、ルームランナの走行部下流側の部位が載置されるベース部２と、使用者の背中を支持可能に配置される背中支持部３と、使用者の両側において腰を支持可能に配置される一対の腰支持部４と、背中支持部３および腰支持部４が取り付けられる支柱５とから構成されている。
【００２０】
また、本実施例に示している本考案のルームランナ用身体支持具１のベース部２に立設される支柱５は、支柱下側部５ａと支柱上側部５ｃとから構成され、支柱下側部５ａは、下端寄りがベース部２に固定される支柱支持部２ａに嵌入され、この支柱支持部２ａに設けられた固定具２ｂを適宜操作する（締め付け操作）ことによって該支柱支持部２ａに固定される。そして、支柱上側部５ｃは、下端寄りが支柱下側部５ａの上部に有する開口５ｂに嵌入されていて、該支柱下側部５ａに備える伸長調節具５ｄを適宜操作する（緩め／締め付け操作）ことによって該支柱上側部５ｃを上方に伸長させることができて、また伸長位置で固定することができるようになっている。
図１中（ａ）は、支柱上側部５ｃを伸長していない支柱５を示しており、図１中（ｂ）は、支柱上側部５ｃを伸長させた支柱５を示している。
【００２１】
図３〜図５は、本考案のルームランナ用身体支持具の使用状態を示した実施例であり、図３は、使用者が本や雑誌などの書籍６を読みながら、ルームランナ７の走行部７ａに乗って歩行している状態を示している。また、歩行の形態は、使用者８の背中８ａが背中支持部３に当接された状態すなわち背中８ａが支えられた状態での歩行であるので、使用者８がルームランナ７走行部７ａの下流側に流されて使用者８自身や足８ｃがこの下流側７ｂの後方外７ｃ（図２参照）へ落ちることもなく、本や雑誌などの書籍６を読みながらでも、安心してルームランナでのウォーキングを楽しむことができる。
【００２２】
また、使用者８の腰８ｂの横方向には腰支持部４も設けられているので、使用者８がルームランナ７の走行部７ａの横方向にずれていった場合でも、使用者８の腰８ｂに腰支持部４が当接するので、使用者８は自分が横にずれたことを認識することができ、さらに当接した腰支持部４によって走行部７ａの側方外７ｄ（図２参照）へ落ちることもない。
【００２３】
図４は、使用者８の背中８ａを背中支持部３に当接していない状態であり、本や雑誌などの書籍６を読みながらルームランナ７の走行部７ａに乗ってウォーキングしている状態を示している。この場合、使用者８がルームランナ７の走行部７ａの下流に流されていった場合でも（矢印Ａの方向）、本考案のルームランナ用身体支持具１の背中支持部３が使用者８の背中８ａを支持するので、使用者８自身や足８ｃが走行部７ａの下流側７ｂの後方外７ｃ（図２参照）へ落ちることがない。勿論、使用者８の腰８ｂの横方向には腰支持部４も設けられているので、使用者８がルームランナ７の走行部７ａの横方向にずれていった場合でも、使用者８の腰８ｂに腰支持部４が当接するので、使用者８は自分が横にずれたことを認識することができ、さらに当接した腰支持部４によって走行部７ａの側方外７ｄ（図２参照）へ落ちることもない。
【００２４】
図５は、特に高齢者がルームランナ７の走行部７ａに乗ってウォーキングしている状態を示していて、歩行の形態は、使用者８の背中８ａが背中支持部３に当接された状態すなわち背中８ａが支えられた状態での歩行であるので、使用者８がルームランナ７走行部７ａの下流側７ｂに流されて使用者８自身や足８ｃがこの下流側７ｂの後方外７ｃ（図２参照）へ落ちることもない。また、使用者８の腰８ｂの横方向には腰支持部４も設けられているので、使用者８がルームランナ７の走行部７ａの横方向にずれて該走行部７ａの側方外７ｄ（図２参照）へ落ちることもない。これにより、ルームランナをリハビリのトレーニング用として利用する場合でも、安心して使用することができる。
【００２５】
図６は、ルームランナ７を使用していないときの本考案のルームランナ用身体支持具１を示していて、支柱５の支柱上側部５ｃに設けている腰支持部４を折り畳んでいる状態を示している。この腰支持部４を折り畳むことで、使用者８がルームランナ７の走行部７ａに乗る際にスムースに乗ることができる。また、上述の腰支持部４は使用者８がルームランナ７の走行部７ａから降りる際にも折り畳んでもよく、特に高齢の使用者８が走行部７ａから降りる場合は、腰支持部４に使用者８の身体が当たったり、また衣服が引っ掛かったりすることが原因での転倒などを防止することができる。
【００２６】
なお、本実施例では図示していないが、背中支持部３は上方乃至下方に延伸させて、使用者８の頭部また背中下部などを支持できるようにする場合もある。また、背中支持部３の支持ステー３ａにゴムなどの弾性部材やばねなどの付勢部材を配置して、使用者８が背中支持部３に当接した際に支持ステー３ａが縮み、当接の衝撃を吸収または緩和できるようにする場合もある。背中支持部３の材質も特に限定するものではなく、好適な素材（例えば柔軟な素材）を用いて形成すればよい。
【００２７】
そして、ルームランナ用身体支持具１を構成する各部も、金属や硬質樹脂などの適宜素材を用いて形成すればよい。ベース部２においては、載置するルームランナ７が安定するよう上面に柔軟素材を設置してもよい。
【００２８】
また、腰支持部４においては、当接した使用者８の腰８ｂをしっかりと支えられるように適当な強度を有する材料で形成し、その表面を柔軟素材で被覆するのが望ましい。そして、腰支持部４の自由端部側を外方に開かせて、ルームランナ７の上流寄りで歩行していた使用者８が下流側７ｂに流された場合に、確実に使用者８の腰８ｂが腰支持部４の自由端部に衝突しないようにする場合もある。
【００２９】
本実施例に示しているルームランナ７は、使用者８が掴まるハンドル９と、駆動用モータの出力を調節して走行速度や使用時間等の設定操作を行うためのパネル１０と、使用者８が走行部７ａをスタートさせる時や終了時に足を乗せることができるステッパ１１を備える。
【符号の説明】
【００３０】
１…ルームランナ用身体支持具
２…ベース部
２ａ…支柱支持部
２ｂ…固定具
３…背中支持部
３ａ…支持ステー
４…腰支持部
５…支柱
５ａ…支柱下側部
５ｂ…開口
５ｃ…支柱上側部
５ｄ…伸長調節具
６…書籍
７…ルームランナ
７ａ…走行部
７ｂ…下流側
７ｃ…後方外
７ｄ…側方外
８…使用者
８ａ…背中
８ｂ…腰
８ｃ…足
９…ハンドル
１０…パネル
１１…ステッパ
【図１】
0003203797.tif 000003
【図２】
0003203797.tif 000004
【図３】
0003203797.tif 000005
【図４】
0003203797.tif 000006
【図５】
0003203797.tif 000007
【図６】
0003203797.tif 000008